(57)【要約】【課題】所望のページを素早く確実に探し出すことができ、また、指導者が学習進捗状況を学習者と容易に結び付けてチェックすることができる学習用教材を提供する。【解決手段】ノート状に製本された学習用教材であって、表表紙と、裏表紙と、これらの表表紙と裏表紙との間に配置された複数の本文用紙と、上記表表紙と一体的に設けられた用紙を複数の本文用紙の側に畳むことにより形成された観音表紙と、を備え、当該学習用教材の背と直交する方向において、観音表紙の幅は、複数の本文用紙を構成する各ページの幅以下であり、観音表紙を複数の本文用紙の側に折り畳んだ際の表側の面に、学習者の氏名記入欄が設けられている。【選択図】図１
2017109353.tif 000002
【特許請求の範囲】
【請求項１】
ノート状に製本された学習用教材であって、
第１の表紙と、
第２の表紙と、
前記第１の表紙と前記第２の表紙との間に配置された複数の本文用紙と、
前記第１の表紙と一体的に設けられた用紙を前記複数の本文用紙の側に畳むことにより形成された観音表紙と、
を備え、
当該学習用教材の背の高さ方向と直交する方向において、前記観音表紙の幅は、前記複数の本文用紙を構成する各ページの幅以下であり、
前記観音表紙を前記複数の本文用紙の側に折り畳んだ際の表側の面に、学習者の氏名記入欄が設けられている、
学習用教材。
【請求項２】
前記観音表紙を前記複数の本文用紙の側に折り畳んだ際の表側の面に、学習の進捗位置を示すマークが設けられている、請求項１に記載の学習用教材。
【請求項３】
前記第１の表紙と前記観音表紙との間の折り目部分にマチが設けられている、請求項１または２に記載の学習用教材。
【請求項４】
前記観音表紙を前記複数の本文用紙の側に折り畳んだ際の裏側の面に、当該学習用教材の使用方法が表示されている、請求項１〜３のいずれか１項に記載の学習用教材。
【請求項５】
前記観音表紙は、前記各ページに書き込みを行う際の下敷きとして使用可能である、請求項１〜４のいずれか１項に記載の学習用教材。
【請求項６】
前記第１の表紙は表表紙である、請求項１〜５のいずれか１項に記載の学習用教材。
【発明の詳細な説明】
【技術分野】
【０００１】
本発明は、漢字や計算等のドリル学習において用いられる学習用教材に関する。
【背景技術】
【０００２】
従来、小学校等の基礎教育においては、漢字や計算等のドリル学習のための様々な専用教材が用いられている。例えば特許文献１には、自習用の漢字学習ドリル集が開示されている。
【０００３】
一般に、ノート形式のドリル学習用教材には、一定量（３か月分、１学期分など）の学習内容が収められており、学習者は、その教材の使用方法に従い、一定期間に渡って順序通り学習を進めていく。その間、指導者が学習の進捗をチェックし、学習者にフィードバックを与えることで、学習内容の定着が図られる。
【先行技術文献】
【特許文献】
【０００４】
【特許文献１】特開２０１４−１５１４５２号公報
【発明の概要】
【発明が解決しようとする課題】
【０００５】
しかし、従来の学習用教材においては、学習が何ページまで進んだかを、ページを順次捲らなくては把握することができなかった。このため、学習者が学習を開始しようと思って教材を開いても、前回学習を終えたページをなかなか探し出すことができないという問題があった。
【０００６】
また、学校等の教育機関においては、１人の指導者が複数の児童・生徒の学習を指導する。そのため、進捗状況の異なる学習者各々の教材を開き、学習を終えたページを探し出してチェックするのに非常に手間がかかっていた。
【０００７】
学習を終えたページを探し出す時間を短縮するためには、例えばしおりを挟んだり、付箋を貼ったりすることが考えられる。しかし、しおりは学習用教材を持ち運ぶ間に抜け落ち易い。また、付箋を用いる場合も、貼った付箋が剥がれたり、ページからはみ出た部分が切れたりすることがある。そのため、学習者および指導者にとって、所望のページを素早く確実に探し出すことが困難であった。
【０００８】
さらに、指導者は、所望のページを探し出すことができたとしても、そのページを開いただけでは学習用教材の持ち主である学習者を瞬時に判断することができない。そのため、学習の進捗状況を学習者と結び付けてチェックすることが困難であった。
【０００９】
本発明は、以上説明した事情を鑑みてなされたものであり、所望のページを素早く確実に探し出すことができる学習用教材を提供することを目的の一つとする。また、指導者が学習進捗状況を学習者と容易に結び付けてチェックすることができる学習用教材を提供することを目的の一つとする。
【課題を解決するための手段】
【００１０】
本発明の一態様である学習用教材は、ノート状に製本された学習用教材であって、第１の表紙と、第２の表紙と、第１の表紙と第２の表紙との間に配置された複数の本文用紙と、第１の表紙と一体的に設けられた用紙を複数の本文用紙の側に折り畳むことにより形成された観音表紙と、を備え、当該学習用教材の背と直交する方向において、観音表紙の幅は、複数の本文用紙を構成する各ページの幅以下であり、観音表紙を複数の本文用紙の側に折り畳んだ際の表側の面に、学習者の氏名記入欄が設けられているものである。
【００１１】
また、学習用教材において、観音表紙を前記複数の本文用紙の側に折り畳んだ際の表側の面に、学習の進捗位置を示すマークが設けられていても良い。
【００１２】
また、学習用教材において、第１の表紙と観音表紙との間の折り目部分にマチが設けられていても良い。
【００１３】
また、学習用教材において、観音表紙を複数の本文用紙の側に折り畳んだ際の裏側の面に、当該学習用教材の使用方法が表示されていても良い。
【００１４】
また、学習用教材において、観音表紙は、各ページに書き込みを行う際の下敷きとして使用可能であっても良い。
【００１５】
また、学習用教材において、第１の表紙は表表紙であっても良い。さらに、複数の本文用紙を構成する少なくとも一部のページに学習用の書き込み領域が設けられ、観音表紙を少なくとも一部のページに重ねた際に、書き込み領域が観音表紙に覆われるようにしても良い。
【発明の効果】
【００１６】
本発明によれば、第１の表紙と一体的な観音表紙を設けると共に、観音表紙を複数の本文用紙の側に折り畳んだ際の表側の面に学習者の氏名記入欄を設けるので、観音表紙を本文用紙の間に挟むことにより、学習者および指導者は所望のページを素早く確実に探し出すことができ、さらに、指導者は、観音表紙に記載された氏名を見ることにより、この学習用教材における学習進捗状況を学習者と容易に結び付けてチェックすることが可能となる。
【図面の簡単な説明】
【００１７】
【図１】本発明の第１の実施形態に係る学習用教材の外観を示す模式図である。
【図２】図１に示す表紙を平面状に広げた状態を示す模式図である。
【図３】図１に示す学習用教材の上側の側面を示す模式図である。
【図４】図１に示す観音表紙を開いた状態を示す模式図である。
【図５】図１に示す観音表紙を閉じた状態を示す模式図である。
【図６】コミュニケーション欄の一例を示す模式図である。
【図７】図１に示す学習用教材の上側の側面を示す模式図である。
【図８】本発明の第２の実施形態に係る学習用教材を示す模式図である。
【図９】図８に示す観音表紙を閉じた状態を示す模式図である。
【図１０】図９に示す観音表紙上に本文用紙を重ねた状態を示す模式図である。
【発明を実施するための形態】
【００１８】
以下、本発明の実施形態について図面を参照しつつ詳細に説明する。なお、同一の要素には同一の符号を付し、重複する説明を省略する。また、以下の説明において参照する各図は、本発明の内容を理解し得る程度に形状、大きさ、および位置関係を概略的に示してあるに過ぎない。即ち、本発明は各図で例示された形状、大きさ、および位置関係のみに限定されるものではない。
【００１９】
（第１の実施形態）
図１は、本発明の第１の実施形態に係る学習用教材の外観を示す模式図である。本実施形態に係る学習用教材は、ノート状に製本された学習用教材であり、具体的には、学習者が繰り返し書き込むことにより漢字や計算を反復練習するためのドリル学習用の教材である。以下においては、漢字学習用の教材を例示として説明するが、教材のコンテンツはこれに限定されず、計算や語学など様々な学習用の教材に適用することができる。
【００２０】
図１に示すように、本実施形態に係る学習用教材１は、表表紙（第１の表紙）２と、この表表紙２の反対側に設けられた裏表紙（第２の表紙）３と、表表紙２と裏表紙３との間に配置された複数の本文用紙４と、表表紙２に設けられた観音表紙５とを備える。本実施形態において、学習用教材１は、表表紙２および裏表紙３を一体的に形成した用紙に、見開きにした本文用紙４を重ね、これらの用紙を折り目部分において針金などの綴じ具６で綴じる、いわゆる中綴じによって製本されている。なお、表表紙２および裏表紙３は、必ずしも連続する１枚の用紙によって形成する必要はなく、例えば、別体の２枚の用紙の端部同士を糊付けして一体化させた上で折り曲げることにより、表表紙２および裏表紙３を形成しても良い。
【００２１】
観音表紙５は、表表紙２と一体的に設けられた用紙を本文用紙４の側に折り畳んだ部分である。この観音表紙５は、表表紙２と連続する１枚の用紙を折ることにより形成しても良いし、別体の２枚の用紙の端部同士を糊付け等して一体化させた上で、観音表紙５の部分を折っても良い。ここで、図１においては、観音表紙５を視認し易くするため、表表紙２と裏表紙３との間を開き、表表紙２に対して観音表紙５を若干ずらした状態を示しているが、学習用教材１を完全に閉じた状態では、観音表紙５は表表紙２と重なり、通常、正面から見ることはできない。なお、表表紙２と裏表紙３とのいずれか一方にのみ観音表紙５を設けた表紙の様式は、片観音とも呼ばれる。
【００２２】
図２は、図１に示す３つの表紙、即ち表表紙２、裏表紙３および観音表紙５を平面状に広げた状態を示す模式図であり、これらの表紙を背側から示している。また、図３は、学習用教材１の上側（「天」とも呼ばれる）の側面を示す模式図である。図２および図３に示すように、表表紙２と観音表紙５との間の折り目には、マチ７が設けられている。
【００２３】
表表紙２、裏表紙３、および観音表紙５の材質は特に限定されないが、好ましくは本文用紙４よりも厚手の紙を用いると良い。厚手の紙を用いることにより、後述するように、観音表紙５を筆記用の下敷きとして使用することが可能となる。一例として、片面または両面に光沢コーティングやつや消しコーティングが施された厚手のコート紙を用いることができる。この場合、学習用教材１の汚れを防ぐことも可能となる。もちろん、表表紙２、裏表紙３、および観音表紙５として使用可能な用紙はコート紙に限定されず、製本において一般的に用いられる種々の用紙を用いることができる。
【００２４】
表表紙２の表面２ａには、学習用教材１のタイトル２ｂが記載されている。この他、表面２ａにキャラクターの入ったイラスト２ｃなどを適宜記載しても良い。
【００２５】
観音表紙５を本文用紙４の側に折り畳んだ際に表側となる面（観音表面）５ａには、学習者の氏名を記入するための氏名記入欄５ｂと、学習の進捗位置を示すマーク５ｃとが記載されている。この他、キャラクターのイラスト５ｄなどを観音表面５ａに記載しても良い。イラスト５ｄの面積や内容は、学習者の学年等に応じて適宜設定される。
【００２６】
図４は、観音表紙５を開き、さらに本文用紙４を見開きにした状態を示す模式図である。観音表面５ａ（図２参照）の裏側である観音裏面５ｅには、例えば学習用教材１の使用方法等の情報が記載されている。また、本文用紙４の各ページ（見開きの右ページ４ａおよび左ページ４ｂ）には、書き込み領域４ｃを含む学習コンテンツが印刷されている。なお、本文用紙４の全ページに書き込み領域４ｃを設ける必要はなく、学習に関連する読み物や、学習の進捗管理表などが印刷されたページを適宜設けても良い。或いは、見開きの一方のページ（例えば左ページ４ｂ）に学習の要点などを印刷し、他方のページ（例えば右ページ４ａ）に学習用の書き込み領域４ｃを印刷するなどしても良い。つまり、本文用紙４に印刷する内容は、学習用教材１の教科、目的、対象学年等に応じて適宜決定すれば良い。
【００２７】
図５は、本文用紙４を見開きにし、観音表紙５を閉じて右ページ４ａ上に重ねた状態を示す模式図である。なお、図５においては、観音表紙５を視認しやすくするため、観音表紙５を若干浮かせた状態で示している。
【００２８】
図４および図５に示すように、学習用教材１の背の高さ方向と直交する方向（図の左右方向）において、観音表紙５の幅は、本文用紙４を構成する各ページの幅以下の長さになっている。これにより、観音表紙５を本文用紙４の間に挟んだ状態で、観音表紙５が邪魔になることなく学習用教材１を閉じることができる。図５においては、観音表紙５の幅を本文用紙４の各ページの幅の半分程度にしているが、観音表紙５の幅は、観音表紙５を本文用紙４の間に挟んで学習用教材１を開閉したときに、観音表紙５が自然に外れない程度の幅があれば良い。一例として、各ページの幅に対して観音表紙５の幅が１／３以上あれば十分である。
【００２９】
裏表紙３の裏面または本文用紙４の最終ページには、学習者と指導者とのコミュニケーションを促進するためのコミュニケーション欄を設けても良い。図６は、コミュニケーション欄の一例を示す模式図である。図６に示すコミュニケーション欄８は、学習者へのメッセージ表示欄８ａと、学習者記入欄８ｂと、指導者記入欄８ｃとを含む。学習者記入欄８ｂは、学習用教材１による学習を完了させたときに感じた感想や振り返りを学習者に記入させる領域である。また、指導者記入欄８ｃは、学習者への承認や励ましを指導者に記入させる領域である。このように、指導者による進捗状況のチェックだけでなく、言語による双方向のコミュニケーションの場を設けることにより、学習者に学習の達成感を実感させ、やる気を増進させると共に、学習において自分なりに工夫することを意識させることができる。
【００３０】
次に、学習用教材１の使用方法について説明する。
学習者は、図４に示すように、観音裏面５ｅに記載された使用方法等に従い、ページ順に学習を進めていく。この際、観音表紙５を開いておくことで、学習者はいつでも使用方法等を参照することができる。
【００３１】
学習者は、学習を中断する際、図５に示すように、学習中のページを開いた状態で観音表紙５を折り畳み、その後で学習用教材１全体を閉じる。それにより、観音表紙５をしおりとして使用することができる。観音表紙５は学習用教材１の他の部分と一体化されているので、学習用教材１の開閉を繰り返しても、しおりとしての観音表紙５が外れてしまうことはない。
【００３２】
また、図７に示すように、表表紙２と観音表紙５との間の折り目にはマチ７が設けられているので、学習済みのページが増えた場合であっても、観音表紙５の湾曲を抑制しつつ、表表紙２と観音表紙５との間に多量の本文用紙４を容易に挟むことができる。それにより、観音表紙５の弾性力により学習用教材１が自然に開いて観音表紙５が外れてしまうといった事態を避けることができる。
【００３３】
学習者は、学習を再開する際、表表紙２および観音表紙５、ならびにこれらに挟み込まれた本文用紙４をまとめて開く。それにより、学習者は、先に学習を中断したページから、すぐに学習を再開することができる。このとき、図５に示すように、観音表面５ａに表示された進捗位置を示すマーク５ｃを参照することにより、当該学習用教材１を使用し始めて間もない学習者であっても、自身が学習すべきページを容易に把握することができる。
【００３４】
学習者への指導を行う際、指導者は学習者に対し、学習を終えたページに観音表紙５を挟んだ状態で学習用教材１を提出させる。指導者は、表表紙２および観音表紙５、ならびにこれらに挟み込まれた本文用紙４をまとめて開くことで、学習者の進捗状況を迅速にチェックすることができる。また、観音表面５ａには氏名記入欄５ｂが設けられているので、指導者は、大量の学習用教材１をチェックしなければならない場合であっても、学習者の氏名と進捗状況とを容易に結びつけて管理することができる。
【００３５】
（第２の実施形態）
図８は、本発明の第２の実施形態に係る学習用教材を示す模式図であり、表紙を平面状に広げた状態を示している。図８に示すように、本実施形態に係る学習用教材１Ａは、表表紙２と、裏表紙３と、表表紙２側に設けられた観音表紙９とを備える。また、表表紙２と裏表紙３との間には、複数の本文用紙４（図１参照）が綴じられている。観音表紙９は、図２に示す観音表紙５に対して幅（図の左右方向の長さ）を広くしたものである。表表紙２、裏表紙３、および本文用紙４の構成は、第１の実施形態において説明したものと同様である。また、表表紙２と観音表紙９との間には、第１の実施形態と同様にマチ７が設けられている。
【００３６】
観音表紙９の観音表面９ａには、氏名記入欄９ｂと、学習の進捗位置を示すマーク９ｃとが記載されている。この他、キャラクターのイラスト９ｄなどを観音表面９ａに記載しても良い。また、観音表紙９の観音裏面には、この学習用教材１Ａの使用方法等の情報が記載されている。
【００３７】
図９は、本文用紙４を見開きにし、観音表紙９を閉じて右ページ４ａ上に重ねた状態を示す模式図である。また、図１０は、図９において見開き左側にあった本文用紙４を１枚捲り、観音表紙９上に重ねた状態を示す模式図である。なお、図９においては、観音表紙９を視認しやすくするため、観音表紙９を若干浮かせた状態で示している。
【００３８】
本実施形態においては、図９に示すように、観音表紙９の幅（図の左右方向の長さ）を、本文用紙４を構成する各ページの幅よりも若干短い状態に留めている。観音表紙９の幅は、観音表紙９を右ページ４ａに重ねた際に、右ページ４ａに設けられた書き込み領域４ｃが漏れなく観音表紙９に覆われるように決定することが好ましい。それにより、観音表紙９を、本文用紙４に書き込む際の下敷きとして使用できるようになる。ただし、観音表紙９の幅を広くし過ぎると、学習用教材１Ａを閉じる際に邪魔になるおそれがあるので、本文用紙４に設けられた書き込み領域４ｃを考慮しつつ、観音表紙９の幅を適宜決定すると良い。
【００３９】
一例として、右ページ４ａと左ページ４ｂとの境界である見開き中央ライン１ａ側にある観音表紙９の辺９ｅが、右ページ４ａの書き込み領域４ｃの左端ライン４ｄと見開き中央ライン１ａとの間に来るように、観音表紙９の幅を決定する。それにより、観音表紙９を本文用紙４の間に挟んだ状態で学習用教材１を閉じることができ、且つ、観音表紙９によって右ページ４ａの書き込み領域４ｃを漏れなく覆うことができる。この場合、観音表紙５の上に本文用紙４を１枚重ねることにより、観音表紙９を右ページ４ａに書き込む際の下敷きとして使用することができる。
【００４０】
ここで、例えば小学生の学習用に市販されている下敷きは通常Ｂ５サイズであるため、Ｂ５サイズ以外の学習用教材に下敷きを用いる場合、学習用教材から下敷きがはみ出して邪魔になったり、反対に、書き込み領域に対して下敷きのサイズが足りず、たびたび下敷きの位置を調整する必要が生じたりする。
【００４１】
それに対し、学習用教材１Ａにおいては、観音表紙９が、少なくとも書き込み領域４ｃを覆い、且つ本文用紙４を構成する各ページを超えないサイズを有しているので、学習者は、観音表紙９を邪魔に感じることもなく、また、観音表紙９の位置を調整する必要もなく、観音表紙９を下敷きとして使用することができる。さらに、観音表紙９は、本文用紙４と一緒に綴じられた表表紙２と一体化されているので、本文用紙４の各ページに書き込みを行っている間に観音表紙９がずれてしまうおそれもない。
【００４２】
上記第１及び第２の実施形態においては、表表紙２のみに観音表紙５、９を設けた片観音としたが、裏表紙３側に観音表紙５、９を設けても良い。表表紙２側に観音表紙５、９を設ける場合には、学習済みのページが観音表紙５、９に挟まれることになるため、これから学習するページを捲る際に、ページを捲り易いという利点がある。一方、裏表紙３側に観音表紙５、９を設ける場合、学習済みのページを見直し易いという利点がある。従って、表表紙２と裏表紙３とのいずれに観音表紙５、９を設けるかについては、学習用教材１の内容や目的に応じて適宜決定すれば良い。或いは、表表紙２および裏表紙３の両方に観音表紙を設けた両観音としても良い。特に、第２の実施形態のように、観音表紙９を下敷きとして用いる場合には、両観音とすることで、本文用紙４の左ページ４ｂ（図１０参照）への書き込みを行い易くすることができる。
【００４３】
また、上記第１及び第２の実施形態においては漢字学習用の教材を例示したため、右開きの製本としたが、製本の向きは教材の内容に応じて適宜決定すれば良い。例えば、計算練習用の教材の場合には、左開きにすると良い。
【００４４】
また、上記第１及び第２の実施形態においては、中綴じで製本する場合を例示したが、製本方式はこれに限定されない。例えば本文用紙４の背を接着剤によって固定する無線綴じなど、他の製本方式を適用しても良い。本文用紙４の枚数が多い場合には、表表紙２と裏表紙３との間に背表紙を設けても良い。
【符号の説明】
【００４５】
１…学習用教材
１ａ…見開き中央ライン
２…表表紙
２ａ…表面
２ｂ…タイトル
２ｃ、５ｄ…イラスト
３…裏表紙
４…本文用紙
４ａ…右ページ
４ｂ…左ページ
４ｃ…書き込み領域
４ｄ…左端ライン
５、９…観音表紙
５ａ、９ａ…観音表面
５ｂ、９ｂ…氏名記入欄
５ｃ、９ｃ…進捗位置を示すマーク
５ｅ…観音裏面
６…綴じ具
７…マチ
８…コミュニケーション欄
８ａ…メッセージ表示欄
８ｂ…学習者記入欄
８ｃ…指導者記入欄
９ｅ…辺
【図１】
2017109353.tif 000003
【図２】
2017109353.tif 000004
【図３】
2017109353.tif 000005
【図４】
2017109353.tif 000006
【図５】
2017109353.tif 000007
【図６】
2017109353.tif 000008
【図７】
2017109353.tif 000009
【図８】
2017109353.tif 000010
【図９】
2017109353.tif 000011
【図１０】
2017109353.tif 000012